(57)【特許請求の範囲】
【請求項１】
円筒電池(1)両端の電極(2)に接触される接点(4)を有する装着部(3)を備える電気機器であって、
装着部(3)が、対向する第１側面(3A)と第２側面(3B)を有する溝形であって、その深さを円筒電池(1)の直径（Ｄ）よりも深くしており、
第１側面(3A)は、開口部と底部との中間に、装着される円筒電池(1)の挿入方向の移動を一時的に停止させるストッパ回転突出部(6)を設けており、
第２側面(3B)は、第１側面(3A)のストッパ回転突出部(6)を中心とする円弧に沿って湾曲されてなるガイド湾曲部(8)を有し、
第１側面(3A)のストッパ回転突出部(6)からガイド湾曲部(8)までの間隔（Ｗ）は、ストッパ回転突出部(6)とガイド湾曲部(8)との間を通過する円筒電池(1)を、ストッパ回転突出部(6)を中心として回転させながら挿入できる間隔であり、
接点(4)はストッパ回転突出部(6)とガイド湾曲部(8)との間を通過する円筒電池(1)の電極(2)に接触される位置にあり、
ストッパ回転突出部(6)とガイド湾曲部(8)との間を通過する円筒電池(1)を、ストッパ回転突出部(6)を中心として回転し、回転する円筒電池(1)は、接点(4)を円筒電池(1)の電極表面に円弧状に摺動させて、接点(4)と電極(2)とをセルフクリーニングするようにしている電池の装着部を有する電気機器。
【請求項２】
装着部(3)の第２側面(3B)をほぼ垂直面としており、この垂直面の一部にガイドリブ(7)を突出して設けて、ガイドリブ(7)にガイド湾曲部(8)を設けている請求項１に記載される電池の装着部を有する電気機器。
【請求項３】
装着部(3)の第１側面(3A)が、ストッパ回転突出部(6)を境界として開口側と底部とに円弧状側面を設けている請求項１に記載される電池の装着部を有する電気機器。
【請求項４】
装着部(3)が、円筒電池(1)を嵌入して電池の電極(2)を接点(4)に電気接続するＵ溝状の底溝部(3a)と、この装着部(3)の開口部に連結してなるガイド溝部(3b)とを有し、第１側面(3A)はガイド溝部(3b)と底溝部(3a)の境界にストッパ回転突出部(6)を有し、第２側面(3B)はガイド溝部(3b)にガイド湾曲部(8)を設けている請求項１に記載される電池の装着部を有する電気機器。
【請求項５】
装着部(3)の中間に、装着部(3)に装着している円筒電池(1)を取り出す横溝(9)を設けている請求項１に記載される電池の装着部を有する電気機器。
【請求項６】
ストッパ回転突出部(6)とガイド湾曲部(8)との間隔（Ｗ）が、円筒電池(1)の外径よりも０．２〜２ｍｍ大きい請求項１に記載される電池の装着部を有する電気機器。
【請求項７】
電気機器が充電器である請求項１に記載される電池の装着部を有する電気機器。
【発明の詳細な説明】
【０００１】
【発明の属する技術分野】
本発明は、円筒電池を脱着できるように装着している電気機器に関する。
【０００２】
【従来の技術】
充電器などの電気機器は、二次電池を脱着できるように装着して充電する。また、二次電池や乾電池などの円筒電池を装着している電気機器は、電池が放電されると、充電された電池や新しい電池に交換して使用される。これ等の電気機器は、電池を装着するときに、電池の両端に設けている電極に接点を確実に電気接続することが大切である。接点と電極が接触不良を起こすと、電池を充電できなくなったり、あるいは電気機器を使用できなくなることがある。また、電池を装着しているときに発生する接点と電極との間の接触不良は、電池の正常な満充電を難しくするばかりでなく、電気機器に悪い影響を与えることがある。
【０００３】
【発明が解決しようとする課題】
この弊害を防止するために、接点に弾性接点が使用される。弾性接点は、弾性的に電極に押圧されて接触不良を防止する。しかしながら、弾性接点を押圧しても、電池の電極や電気機器の接点の表面は、使用時間が長くなるにしたがって次第に汚れて異物が付着し、また金属表面に酸化膜などの薄膜ができて、接触不良を起こしやすくなる。この弊害を解消するために、電極や接点を擦って使用すればよい。ただ、全てのユーザーにこのような使用方法を要求することはできず、接点と電極との接触不良を有効に防止できないのが実状である。
【０００４】
本発明は、この欠点を解決することを目的に開発されたものである。本発明の重要な目的は、電池を電気機器の装着部に脱着するたびに、接点と電極とを擦ってセルフクリーニングして接触不良を有効に防止できる電池の装着部を有する電気機器を提供することにある。
【０００５】
【課題を解決するための手段】
本発明の電気機器は、円筒電池１両端の電極２に接触される接点４のある装着部３を備える。装着部３は、対向する第１側面３Ａと第２側面３Ｂを有する溝形であって、その深さを円筒電池１の直径（Ｄ）よりも深くしている。第１側面３Ａは、開口部と底部との中間に、装着される円筒電池１の挿入方向の移動を一時的に停止させるストッパ回転突出部６を設けている。第２側面３Ｂは、第１側面３Ａのストッパ回転突出部６を中心とする円弧に沿って湾曲するガイド湾曲部８を有する。第１側面３Ａのストッパ回転突出部６からガイド湾曲部８までの間隔（Ｗ）は、ストッパ回転突出部６とガイド湾曲部８との間を通過する円筒電池１を、ストッパ回転突出部６を中心として回転させながら挿入できる間隔である。装着部３に設けている接点４は、ストッパ回転突出部６とガイド湾曲部８との間を通過する円筒電池１の電極２に接触する位置にある。ストッパ回転突出部６とガイド湾曲部８との間を通過する円筒電池１は、ストッパ回転突出部６を中心として回転しながら装着される。回転する円筒電池１は、接点４を円筒電池１の電極表面に円弧状に摺動させて、接点４と電極２とをセルフクリーニングする。
【０００６】
本発明の電気機器は、装着部３の第２側面３Ｂをほぼ垂直面とすることができる。垂直面には、その一部にガイドリブ７を突出して設け、このガイドリブ７にガイド湾曲部８を設けることができる。さらに、本発明の電気機器は、装着部３の第１側面３Ａを、ストッパ回転突出部６を境界として開口側と底部とに円弧状側面を設けることができる。
【０００７】
また、本発明の電気機器は、装着部３を、円筒電池１を嵌入して電池の電極２を接点４に電気接続するＵ溝状の底溝部３ａと、この装着部３の開口部に連結してなるガイド溝部３ｂとで構成できる。この装着部３は、第１側面３Ａのガイド溝部３ｂと底溝部３ａとの境界にストッパ回転突出部６を設け、第２側面３Ｂはガイド溝部３ｂにガイド湾曲部８を設ける。
【０００８】
さらに、本発明の電気機器は、装着部３の中間に、装着部３に装着している円筒電池１を取り出す横溝９を設けて、簡単に円筒電池１を脱着できる構造にできる。
【０００９】
本発明の電気機器は、ストッパ回転突出部６とガイド湾曲部８との間隔（Ｗ）を、好ましくは、円筒電池１の外径よりも０．１〜２ｍｍ大きくする。そして、本発明の電気機器は、たとえば充電器であって、二次電池を脱着できるように装着して、充電する。
【００１０】
【発明の実施の形態】
以下、本発明の実施例を図面に基づいて説明する。ただし、以下に示す実施例は、本発明の技術思想を具体化するための電気機器を例示するものであって、本発明は電気機器を以下のものに特定しない。
【００１１】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１２】
図１ないし図５に示す電気機器は、円筒電池１を脱着できるように装着する装着部３を有する。この図の電気機器は充電器であるが、本発明は電気機器を充電器に特定しない。電気機器には円筒電池１を脱着できるように装着する全ての機器とすることができる。
【００１３】
図１と図２の電気機器は、ケース１０に装着部３を設けている。図の装着部３は、１本の円筒電池１を装着する。電気機器は、複数の円筒電池１を装着するために、これ等の図に示す装着部３を複数設けることもできる。装着部３には、好ましくは１本の円筒電池１を装着するが、２本以上の円筒電池を一列に並べて直列に接続する状態で装着することもできる。
【００１４】
装着部３は、円筒電池１の両端の電極２に接触される接点４を両端部に設けている。接点４は、弾性変形できる金属板で製作している弾性接点４Ａである。弾性接点４Ａは、弾性的に電池の電極２に押圧されて、電極２に確実に電気接続される。図１は、電池の正電極２Ａに接触される接点４を示しており、図２は、電池の負電極２Ｂに接触される接点４を示している。負電極２Ｂの接点４は、各々独立して電池の電極２に押圧されるふたつの弾性接点４Ａを有する。正電極２Ａと、負電極２Ｂのふたつの弾性接点４Ａは、電池の電極２に接触する部分に突出スポット５を設けている。この構造の接点４は、突出スポット５を円筒電池１の電極２に局部的に強く押圧して接触不良を少なくできる。とくに、円筒電池１を装着部３に脱着するときに、突出スポット５の先端を電池の電極表面で擦ってセルフクリーニング効果を向上できる。さらに、ふたつの弾性接点４Ａを有する負電極２Ｂの接点４は、いずれか一方の弾性接点４Ａが接触不良を起こしても、不都合なく正常に使用できる。このため、接点４の接触不良を極減できる。それは、両方の弾性接点４Ａが接触不良となる確率は極めて少なく、このときに限って接触不良となるからである。
【００１５】
装着部３は、片方の側面、図３ないし図５において左側の側面に、装着される円筒電池１を回転させながら挿入するためのストッパ回転突出部６を設けている。装着部３に挿入される円筒電池１は、図の矢印で示すように、ストッパ回転突出部６を中心として回転されながら装着される。このように、円筒電池１が回転しながら装着されるので、接点４が円筒電池１の電極表面を円弧状の軌跡で摺動する。図の接点４は、突出スポット５を電池の電極２に弾性的に押圧している。したがって、円筒電池１が回転しながら装着されると、突出スポット５が弾性的に電極面に押圧されて、円弧状の軌跡で電極面を摺動して、接点４と電極２をセルフクリーニングする。すなわち、弾性的に押し付けて擦ることにより、接点４や電極２の表面の接触不良の原因となる異物や薄膜を除去してセルフクリーニングする。とくに、回転しながら接点４と電極２とを摺動させるので、摺動させる距離を長くして、セルフクリーニング効果を相当に向上できる。
【００１６】
図の電気機器の装着部３は、対向する第１側面３Ａと第２側面３Ｂを有する溝形であって、その深さを円筒電池１の直径よりも深くしている。第１側面３Ａは、円筒電池１を回転させながら通過させるストッパ回転突出部６を設けている。このストッパ回転突出部６は、開口部と底部との中間にあって、装着される円筒電池１の挿入方向の移動を一時的に停止して回転させながら通過させる。図の装着部３の第１側面３Ａは、ストッパ回転突出部６を境界として、開口側と底部とに円弧状側面を設けている。この装着部３は、ストッパ回転突出部６を境界として、底溝部３ａとガイド溝部３ｂとを設けている。底溝部３ａは、円筒電池１を嵌入して電池の電極２を接点４に電気接続するＵ溝状の部分である。ガイド溝部３ｂは、装着部３の開口部に連結している設けている。
【００１７】
図の装着部３は、第２側面３Ｂを垂直面として、ガイド溝部３ｂの幅を底溝部３ａよりも広くしている。第２側面３Ｂは、垂直な姿勢であって内面に突出するガイドリブ７を設けている。ガイドリブ７は、装着部３を設けているケース１０とは別のプラスチックで成形されてケース１０に固定され、あるいはケース１０と一体的に成形して設けられる。図１と図２の装着部３は、両端部にガイドリブ７を設けている。ガイドリブ７は、ガイド湾曲部８を設けている。このガイド湾曲部８は、第１側面３Ａのストッパ回転突出部６を中心とする円弧に沿って湾曲されている。このガイド溝部３ｂは、第１側面３Ａのストッパ回転突出部６からガイド湾曲部８までの間隔（Ｗ）を、ストッパ回転突出部６とガイド湾曲部８との間を通過する円筒電池１が、ストッパ回転突出部６を中心として回転しながら挿入される間隔としている。
【００１８】
図のガイド溝部３ｂは、ここに円筒電池１を通過させるために、ストッパ回転突出部６とガイド湾曲部８との間隔（Ｗ）を、円筒電池１の直径（Ｄ）よりも大きくしている。この間隔（Ｗ）が狭すぎると、ガイド溝部３ｂに円筒電池１を通過させて底溝部３ａに装着できなくなり、反対にこの間隔（Ｗ）が広すぎると、円筒電池１を回転させながら底溝部３ａに装着できなくなる。したがって、ストッパ回転突出部６とガイド湾曲部８との間隔（Ｗ）は、好ましくは円筒電池１の外径（Ｄ）よりも０．２〜２ｍｍ、より好ましくは０．３〜１．５ｍｍ広くする。
【００１９】
円筒電池１は、装着部３に装着されるときに接点４を円弧状に摺動させてセルフクリーニングしながら装着される。このことを実現するために、接点４はストッパ回転突出部６とガイド湾曲部８との間を通過する円筒電池１の電極２に接触される位置に設けている。接点４が電極２に接触し、かつ押圧される状態で円筒電池１が回転されて、セルフクリーニングされるからである。
【００２０】
この構造の装着部３に装着される円筒電池１は、図３ないし図５の矢印で示すように、ストッパ回転突出部６とガイド湾曲部８との間を通過するときに、ストッパ回転突出部６を中心として回転される。ここを通過するときに回転される円筒電池１は、接点４を円筒電池１の電極表面に円弧状に摺動させて、接点４と電極２とをセルフクリーニングする。
【００２１】
底溝部３ａは、セルフクリーニングしながら装着された円筒電池１をしっかりと保持するためにＵ溝状としている。
【００２２】
さらに、図１と図２に示す電気機器は、装着部３の中間に、装着部３に装着している円筒電池１を取り出す横溝９を設けている。この構造は、横溝９で円筒電池１の中間をつかんで、簡単に脱着できる。
【００２３】
【発明の効果】
本発明の電気機器は、電池を電気機器の装着部に脱着するたびに、接点と電極とを擦ってセルフクリーニングして接触不良を有効に防止できる特長がある。それは、本発明の電気機器が、装着される電池が回転しながら装着されるように装着部を独特の構造としており、回転する電池の電極表面に接点を摺動させて、接点と電極とをセルフクリーニングしているからである。本発明の電気機器は、装着部の第１側面の中間に設けたストッパ回転突出部と第２側面に設けたガイド湾曲部との間を通過する円筒電池が、ストッパ回転突出部を中心として回転しながら装着されるので、回転する電池の電極表面を接点が円弧状に摺動して、接点と電極とがセルフクリーニングされる。したがって、本発明の電気機器は、電池を電気機器の装着部に脱着するたびに、接点と電極とをセルフクリーニングして接触不良を有効に防止できる。とくに、本発明の電気機器は、専門の知識や技術を必要とせず、電池を脱着するという極めて簡単な方法で、全てのユーザーが接点と電極とをセルフクリーニングできる特長がある。
【図面の簡単な説明】
【図１】本発明の一実施例にかかる電気機器の斜視図
【図２】図１に示す電気機器を背面から見た斜視図
【図３】図１に示す電気機器の装着部に円筒電池を装着する状態を示す断面図
【図４】図１に示す電気機器の装着部に円筒電池を装着する状態を示す断面図
【図５】図１に示す電気機器の装着部に円筒電池を装着する状態を示す断面図
【符号の説明】
１…円筒電池
２…電極                ２Ａ…正電極            ２Ｂ…負電極
３…装着部              ３Ａ…第１側面          ３Ｂ…第２側面
３ａ…底溝部            ３ｂ…ガイド溝部
４…接点                ４Ａ…弾性接点
５…突出スポット
６…ストッパ回転突出部
７…ガイドリブ
８…ガイド湾曲部
９…横溝
１０…ケース
【図１】
0003802417.tif 000002
【図２】
0003802417.tif 000003
【図３】
0003802417.tif 000004
【図４】
0003802417.tif 000005
【図５】
0003802417.tif 000006